(57)【要約】【課題】植物工場における受粉が必要な植物の栽培において、衛生面のリスクがより少なく、コストも抑制することができる栽培装置を提供する。【解決手段】加振を行う棒体１０１と、棒体１０１を振動させることにより、棒体１０１に加振を行わせる振動部１０２とを、備え、棒体１０１は、複数の栽培容器４それぞれに植えられている少なくとも１つの植物に直接加振を行う、または、前記栽培容器を加振することにより前記少なくとも１つの植物に間接的に加振を行う。【選択図】図１
2020141644.tif 000002
【特許請求の範囲】
【請求項１】
加振を行うための棒体と、
前記棒体を振動させることにより、前記棒体に前記加振を行わせる振動部とを、備え、
前記棒体は、複数の栽培容器のそれぞれに植えられている少なくとも１つの植物に直接加振を行う、または、前記栽培容器を加振することにより前記少なくとも１つの植物に間接的に加振を行う、
栽培装置。
【請求項２】
前記振動部は、前記棒体を、前記栽培容器が立設する方向において振動させる、
請求項１に記載の栽培装置。
【請求項３】
前記棒体は、当該棒体の延在方向が、複数の前記植物のうち当該棒体の加振対象である２以上の前記植物の並び方向に沿うように、配置される、
請求項１または２に記載の栽培装置。
【請求項４】
前記振動部は、
振動子と、
前記棒体の一方の端部に連結され、かつ、前記棒体と交差する方向に配される棒状の振動伝達体であって、前記振動子の振動が伝達されて振動することにより、前記棒体を振動させる振動伝達体とを備える、
請求項１〜３のいずれか１項に記載の栽培装置。
【請求項５】
前記振動伝達体と前記棒体の前記一方の端部との連結には、間隔を有する遊びがあり、
前記振動伝達体は、前記棒体を、前記栽培容器が立設する方向、及び、前記立設する方向と異なる方向であって当該立設する方向と交差する方向に振動させる、
請求項４に記載の栽培装置。
【請求項６】
前記振動部は、前記棒体を、前記立設する方向として、前記植物の生育方向である上下方向に振動させる、
請求項２に記載の栽培装置。
【請求項７】
前記振動部は、さらに、
前記棒体を間欠的に振動させる間欠動作を行う、
請求項１〜６のいずれか１項に記載の栽培装置。
【請求項８】
前記振動部は、前記植物を生育するための光を照射する照明が点灯されている時間である点灯時間中に、前記間欠動作を行う、
請求項７に記載の栽培装置。
【請求項９】
棒体を振動させることにより、前記棒体に前記加振を行わせ、
前記加振を行わせる際には、前記棒体に、複数の栽培容器のそれぞれに植えられている少なくとも１つの植物に直接加振を行う、または、前記栽培容器を加振することにより前記少なくとも１つの植物に間接的に加振を行う、
栽培方法。
【発明の詳細な説明】
【技術分野】
【０００１】
本開示は、栽培装置及び栽培方法に関する。
【背景技術】
【０００２】
イチゴなど自家受粉により果実ができる植物があり、このような植物を受粉させる方法として、ミツバチを利用する場合、または、人の手を利用する場合が知られている。
【０００３】
例えば、特許文献１では、完全人工光の植物工場において、受粉にミツバチを利用して栽培を行う方法が提案されている。ここで、植物工場とは、植物の生長に必要な環境条件を施設内で高度に人工制御して、年間を通じて計画的かつ安定的に植物を栽培するシステムである。
【先行技術文献】
【特許文献】
【０００４】
【特許文献１】特開２０１３−２２６１３２号公報
【発明の概要】
【発明が解決しようとする課題】
【０００５】
しかしながら、閉鎖型植物工場において、自家受粉により果実ができる植物を栽培する場合、特許文献１により提案される方法では、衛生面のリスク等があり、さらに、ミツバチの価格高騰などで入手性にも課題がある。ここで、閉鎖型植物工場は、外部環境と隔離されている施設の中で多数の植物が栽培されるシステムである。
【０００６】
より具体的には、閉鎖型植物工場においてミツバチによる受粉を行う場合、例えば、ミツバチの死骸またはミツバチの買入時による病害等の外部環境の持ち込みなど、衛生面のリスク等がある。また、完全人工光下でミツバチによる受粉を行わせるためには、紫外線照明など専用の照明を設置する必要があり、コストアップの要因になる。また、施設内でのミツバチの飼育など施設内の管理ノウハウの確立が必要であり、管理ノウハウの確立が不十分だと、ミツバチに受粉させることができないという課題もある。さらに、ミツバチの価格高騰などで入手性にも課題がある。
【０００７】
一方、閉鎖型植物工場において、人の手を利用する（手動受粉の）場合、一花ごとに人の手で受粉することになり、作業量が膨大になる。さらに、習熟度が不十分な人による作業では、受粉ができていない場合もあり、果実等の収穫についての歩留りが悪化するという課題もある。
【０００８】
本開示は、上述の事情を鑑みてなされたもので、受粉が必要な植物の植物工場における栽培において、衛生面のリスクがより少なく、コストも抑制することができる栽培装置及び栽培方法を提供することを目的とする。
【課題を解決するための手段】
【０００９】
上記課題を解決するために、本開示の一形態に係る栽培装置は、加振を行うための棒体と、前記棒体を振動させることにより、前記棒体に前記加振を行わせる振動部とを、備え、前記棒体は、複数の栽培容器のそれぞれに植えられている少なくとも１つの植物に直接加振を行う、または、前記栽培容器を加振することにより前記少なくとも１つの植物に間接的に加振を行う。
【００１０】
なお、これらの全般的または一部の具体的な態様は、システム、方法、集積回路、コンピュータプログラムまたはコンピュータで読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【００１１】
本開示の栽培装置等によれば、植物工場における受粉が必要な植物の栽培において、衛生面のリスクがより少なく、コストも抑制することができる。
【図面の簡単な説明】
【００１２】
【図１】図１は、実施の形態における栽培棚の外観の一例を示す外観斜視図である。
【図２】図２は、図１に示す栽培棚の正面を示す外観正面図である。
【図３】図３は、図１に示す栽培棚の側面を示す外観側面図である。
【図４】図４は、実施の形態における栽培装置の外観の一例を示す模式図である。
【図５Ａ】図５Ａは、実施の形態における棒体が植物を直接的に加振する場合の配置例を示す図である。
【図５Ｂ】図５Ｂは、実施の形態における棒体が植物を間接的に加振する場合の配置例を示す図である。
【図６Ａ】図６Ａは、実施の形態における振動伝達体と棒体との連結部分に隙間がない状態での連結方法を示す図である。
【図６Ｂ】図６Ｂは、実施の形態における振動伝達体と棒体との連結部分に隙間がある状態での連結方法を示す図である。
【図７】図７は、実施の形態における栽培装置の動作の一例を示すフローチャートである。
【図８】図８は、実施の形態における栽培装置が間欠動作を行う際の動作の一例を示すフローチャートである。
【発明を実施するための形態】
【００１３】
以下で説明する実施の形態は、いずれも本開示の一具体例を示すものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることもできる。
【００１４】
（実施の形態）
以下では、図面を参照しながら、実施の形態について説明する。
【００１５】
［栽培棚１０００］
図１は、実施の形態における栽培棚１０００の外観の一例を示す外観斜視図である。図２は、図１に示す栽培棚１０００の正面を示す外観正面図である。図３は、図１に示す栽培棚１０００の側面を示す外観側面図である。
【００１６】
栽培棚１０００は、実施の形態１における栽培装置１０を有する。より具体的には、栽培棚１０００には、図１〜図３に示すように、それぞれ栽培装置１０を有する複数の栽培構成段１が構成されている。図１〜図３に示す例では、栽培棚１０００には、３つの栽培構成段１が構成されている。また、栽培棚１０００は、複数の棚２を備え、棚２それぞれに、栽培トレイ３を複数載置する。つまり、栽培棚１０００は、栽培トレイ３を上下方向に所定の間隔を空けて積み重ね可能な棚２を備える。
【００１７】
複数の栽培構成段１のそれぞれは、上下方向に所定の間隔で栽培棚１０００を区画したものであり、棚２と、棚２に複数載置された栽培トレイ３と、栽培トレイ３それぞれに載置された複数の栽培容器４とで構成されている。
【００１８】
さらに、複数の栽培構成段１のそれぞれには、例えば図１に示すように、栽培装置１０に加えて照明１０５が構成されている。なお、図１では、照明１０５の配置例を示すために、最上段の棚２の図示が省略されている。
【００１９】
以下、これらについて詳述する。
【００２０】
［栽培トレイ３］
栽培トレイ３は、栽培対象の複数の植物を栽培するために用いる箱形状の樹脂製容器である。複数の栽培トレイ３は、棚２の長尺方向に並列して載置されるとともに、上下方向に所定の間隔を空けて積み重なるように棚２に載置される。図１〜図３に示す例では、棚２それぞれに、２つの栽培トレイ３が棚２の長尺方向に並列して載置されている。
【００２１】
また、栽培トレイ３には、複数の栽培容器４が載置される。図１〜図３に示す例では、栽培トレイ３それぞれには、６つの栽培容器４が載置されている。
【００２２】
［栽培容器４］
栽培容器４は、その内部に、培地（不図示）と、培地に植えられた状態の植物４１（不図示）とが主に収容される。栽培容器４はそれぞれ、１つの植物４１が植えられる場合に限らず、複数の植物４１が植えられてもよい。なお、培地は、培養土から構成されていてもよいし、ロックウール、ウレタン、スポンジなどの固形培地から構成されていてもよい。ここで、栽培容器４は、例えば植木鉢またはプランタである。なお、栽培容器４は、植物４１を保持できれば、土耕栽培用のものに限定されず、水耕栽培用のものでもよい。この場合、栽培容器４は、培地に代えて、水耕栽培を行うための培養液を収容していればよい。
【００２３】
［栽培装置１０］
図４は、実施の形態における栽培装置１０の外観の一例を示す模式図である。
【００２４】
栽培装置１０は、栽培対象の１以上の植物４１を揺らすことによって受粉させる装置である。また、栽培対象の植物４１は、イチゴ、ミニトマトなど受粉が必要な植物であるが、これに限らない。例えばサクランボ、ナシ、メロン、キュウリ、スイカ、カボチャ、モモ、ナス、トマト、ピーマン、トウモロコシ、イネ、クルミ、キク、ヤシなど自家受粉により果実ができる植物であればよい。本実施の形態では、例えば図４に示すように、栽培装置１０は、棒体１０１と、振動部１０２とを備える。
【００２５】
＜棒体１０１＞
棒体１０１は、複数の栽培容器４それぞれに植えられている少なくとも１つの植物４１に対する加振を行う。より具体的には、棒体１０１は、複数の栽培容器４それぞれに植えられている少なくとも１つの植物に直接加振を行ってもよいし、または、栽培容器４を加振することにより少なくとも１つの植物４１に間接的に加振を行ってもよい。本実施の形態では、棒体１０１は、振動部１０２で発生した振動を伝搬させて、栽培対象の植物４１を直接的または間接的に加振する。棒体１０１の材質は、振動を伝搬させるものであればよく、例えばＳＵＳ（Ｓｔｅｅｌ  Ｕｓｅ  Ｓｔａｉｎｌｅｓｓ）または硬質プラスチックで構成されていてもよい。棒体１０１は、図１〜図４では、円柱状の棒として示されているが、この例に限らない。棒体１０１は、振動を伝搬させるものであれば、角柱状の棒であってもよいし、円筒状の棒であってもよい。
【００２６】
また、棒体１０１は、当該棒体１０１の延在方向が、複数の植物のうち当該棒体の加振対象である２以上の植物４１の並び方向に沿うように、配置される。
【００２７】
ここで、栽培対象の植物４１に対する棒体１０１の配置例について図５Ａ及び図５Ｂを用いて説明する。図５Ａは、実施の形態における棒体１０１が植物４１を直接的に加振する場合の配置例を示す図である。図５Ｂは、実施の形態における棒体１０１が植物４１を間接的に加振する場合の配置例を示す図である。
【００２８】
図５Ａに示すように、棒体１０１は、栽培対象の植物４１を直接的に加振する場合、植物４１の幹に接触させて、植物４１の並び方向に沿って配置される。なお、棒体１０１は、植物４１の幹に接触させて配置されていると説明したがこれに限らない。棒体１０１は、植物４１を直接的に加振できればよいので、植物４１の枝または葉に接触させて配置されてもよい。
【００２９】
また、図５Ｂに示すように、棒体１０１は、栽培対象の植物４１を間接的に加振する場合、植物４１が植えられている栽培容器４に接触させて、植物４１の並び方向に沿って配置される。なお、図５Ｂでは、棒体１０１は、栽培容器４に接触させて配置されていると説明したがこれに限らない。棒体１０１は、植物４１を間接的に加振できればよいので、栽培容器４そのものに限らず、栽培容器４の内部に収容される培地、栽培容器４が載置されている栽培トレイ３、または栽培トレイ３が載置されている棚２に接触させて配置されてもよい。
【００３０】
また、棒体１０１は、栽培容器４が立設する方向すなわち植物４１の生育方向である上下方向に振動されてもよい。また、棒体１０１は、栽培容器４が立設する方向に限らず、立設する方向と異なる方向であって当該立設する方向と交差する方向にも振動されてもよい。当該立設する方向と交差する方向とは、例えば上下方向に交差する方向である斜め方向である。そして、これらの振動方向はランダムに発生してもよいし、同時に発生してもよいし、これらの振動方向の成分の大きさをランダムに組み合わせた方向に発生してもよい。
【００３１】
また、図１〜図４に示す例では、複数の栽培構成段１のそれぞれにおいて、栽培トレイ３ごとに２列の栽培容器４が並んでいるので、２本の棒体１０１が、２列の栽培容器４を挟んで平行に（左右対称に）配置されている。なお、棒体１０１は、複数の栽培構成段１のそれぞれにおいて、平行に２本配置される場合に限らない。栽培トレイ３ごとに３列の栽培容器４が並んでいる場合には、３本の棒体１０１が平行に配置されていてもよい。また、栽培トレイ３ごとに１列の栽培容器４が並んでいる場合には、１本の棒体１０１が配置されるとしてもよい。
【００３２】
＜振動部１０２＞
振動部１０２は、棒体１０１を振動させることにより、棒体１０１に加振を行わせる。ここで、振動部１０２は、棒体１０１を、栽培容器４が立設する方向において振動させてもよい。例えば、振動部１０２は、棒体１０１を、栽培容器４が立設する方向として、植物４１の生育方向である上下方向に振動させてもよい。また、振動部１０２は、棒体１０１を間欠的に振動させる間欠動作を行ってもよい。
【００３３】
本実施の形態では、例えば図４に示すように、振動部１０２は、振動子１０３と、振動伝達体１０４とを備える。
【００３４】
≪振動子１０３≫
振動子１０３は、棒体１０１を振動させることにより、棒体１０１に加振を行わせる装置である。振動子１０３は、例えばエアーバイブレータなど圧縮空気を用いて振動を発生させ、発生させた振動を棒体１０１に伝搬させることで棒体１０１を加振する装置である。また、振動子１０３は、例えば、電気バイブレータなど、電気を用いて振動を発生させ、発生させた振動を棒体１０１に伝搬させることで棒体１０１を加振する装置であってもよい。振動子１０３は、例えば１００Ｈｚ〜１５０Ｈｚで振動を発生させればよい。
【００３５】
また、振動子１０３は、栽培容器４が立設する方向に振動を発生させてもよいし、立設する方向と異なる方向であって当該立設する方向と交差する方向に振動を発生させてもよい。
【００３６】
本実施の形態では、振動子１０３は、図１〜図３に示すように、栽培構成段１ごとに１つだけ、すなわち１個の栽培装置１０に１つだけで構成されており、栽培構成段１ごとに備える固定用部材５に固定されている。振動子１０３は、固定用部材５で固定された状態で、発生させた振動を、振動伝達体１０４に伝搬することで、振動伝達体１０４に連結されている１以上の棒体１０１にその振動を伝搬させることができる。
【００３７】
例えば、振動子１０３の振動軸が固定用部材５と略垂直になるように振動子１０３が固定される場合、振動子１０３は、栽培容器４が立設する方向に振動を発生させる。また、振動子１０３の振動軸が固定用部材５の延在方向と交差するように、固定用部材５に固定される場合、振動子１０３は、栽培容器４の立設する方向と異なる方向であって当該立設する方向と交差する方向に振動を発生させる。
【００３８】
なお、振動子１０３は、内部または外部に備える稼働装置（不図示）により、加振するタイミング及び時間が制御可能である。このため、稼働装置は、植物４１を受粉させたいタイミング及び時間（分オーダ）で振動子１０３に振動を発生させるよう振動子１０３を制御することができる。つまり、振動子１０３は、間欠的に振動を発生させてもよい。この場合、振動子１０３は、間欠的に発生させた振動を１以上の棒体１０１に伝搬させることで、１以上の棒体１０１を間欠的に振動させる間欠動作を行うことができる。
【００３９】
また、振動子１０３は、植物４１を生育するための光を照射する照明１０５が点灯されている時間である点灯時間中に、間欠的に振動を発生させてもよい。この場合、振動子１０３は、点灯時間中に間欠的に発生させた振動を１以上の棒体１０１に伝搬させることで、１以上の棒体１０１を、点灯時間中に間欠的に振動させる間欠動作を行うことができる。
【００４０】
≪振動伝達体１０４≫
振動伝達体１０４は、棒状であり、棒体１０１の一方の端部に連結され、かつ、棒体１０１と交差する方向に配される。振動伝達体１０４は、振動子１０３の振動が伝達されて振動することにより、棒体１０１を振動させる。
【００４１】
本実施の形態では、振動伝達体１０４は、図４等に示すように、振動子１０３と連結しており、振動部１０２が発生した振動が伝搬される。振動伝達体１０４は、１本以上の当該棒体１０１の端部それぞれと連結され、かつ、１本以上の棒体１０１と交差するように配置されている。そして、振動伝達体１０４は、伝搬された、振動部１０２で発生した振動により、１本以上の棒体１０１を直接的に振動させる。図１〜図４に示す例では、振動伝達体１０４は、２本の棒体１０１の端部それぞれと連結され、かつ、２本以上の棒体１０１と略垂直となるように配置されている。
【００４２】
ここで、振動伝達体１０４は、振動子１０３が、栽培容器４の立設する方向の振動を発生させた場合、その振動を連結された１本以上の棒体１０１に伝搬するので、その１本以上の棒体１０１を、栽培容器４が立設する方向において振動させる。
【００４３】
なお、振動伝達体１０４は、棒体１０１を、栽培容器４が立設する方向に限らず、立設する方向と異なる方向であって当該立設する方向と交差する方向にも振動させてもよい。ここで、棒体１０１を当該立設する方向と交差する方向にも振動させることは、上述したように、振動子１０３の振動軸を固定用部材５と交差するように固定することでも実現できるが、振動伝達体１０４と棒体１０１との連結方法によっても実現できる。以下、振動伝達体１０４と棒体１０１との連結方法により実現する場合について説明する。
【００４４】
図６Ａは、実施の形態における振動伝達体１０４と棒体１０１との連結部分に隙間がない状態での連結方法を示す図である。図６Ｂは、実施の形態における振動伝達体１０４と棒体１０１との連結部分に隙間がある状態での連結方法を示す図である。
【００４５】
図６Ａに示す例では、振動伝達体１０４は、ネジなどの締結部材１０４ａを用いて、棒体１０１の端部と隙間なく連結（固定）されている。この場合、振動伝達体１０４は、振動子１０３が発生させた、栽培容器４の立設する方向の振動（上下振動と称する）が伝達され、上下振動することで、振動伝達体１０４と固定されている棒体１０１を上下振動させる。このようにして、振動伝達体１０４は、棒体１０１を、栽培容器４が立設する方向に振動すなわち上下振動させることができる。
【００４６】
一方、図６Ｂに示す例では、振動伝達体１０４は、ネジなどの締結部材１０４ｂを用いて、棒体１０１の端部と隙間がある状態で連結されている。この場合も、振動伝達体１０４は、振動子１０３が発生させた、栽培容器４の立設する方向の振動すなわち上下振動が伝達され、上下振動する。しかし、振動伝達体１０４は、上下振動するものの、振動伝達体１０４と棒体１０１との連結部分に隙間という遊びがあるため、棒体１０１を上下振動させるだけでなく、例えば斜め方向など上下方向以外の方向に振動させることができる。このようにして、振動伝達体１０４は、棒体１０１を当該立設する方向と交差する方向にも振動させることができる。
【００４７】
換言すると、振動伝達体１０４と棒体１０１の一方の端部との連結には、間隔を有する遊びがあってもよい。この場合、振動伝達体１０４は、棒体１０１を、栽培容器４が立設する方向、及び、当該立設する方向と異なる方向であって当該立設する方向と交差する方向に振動させることができる。
【００４８】
なお、振動伝達体１０４の材質は、振動を伝搬させるものであればよく、例えばＳＵＳで構成されていればよい。振動伝達体１０４は、図１〜図４では、角柱状の棒として示されているが、この例に限らない。振動伝達体１０４は、振動を伝搬させるものであれば、円柱状の棒であってもよいし、円筒状の棒であってもよい。
【００４９】
［照明１０５］
照明１０５は、栽培対象の植物を生育するための光を照射する照明である。本実施の形態では、照明１０５は、栽培棚１０００の栽培構成段１における上方、かつ、１つ上の栽培構成段１における棚２の底面側に設置され、棚２の長尺方向に沿って延びている。また、照明１０５は、栽培棚１０００の栽培構成段１において、栽培容器４に対向する位置に配置されている。照明１０５は、例えば、ＬＥＤ照明装置等の公知な照明器具であればよく、例えば蛍光灯であってもよい。
【００５０】
また、照明１０５は、点灯時間には照明するが、非点灯時間には照明しない。
【００５１】
［栽培装置１０の動作等］
次に、上述した実施の形態における栽培装置１０の動作について説明する。
【００５２】
図７は、実施の形態における栽培装置１０の動作の一例を示すフローチャートである。
【００５３】
図７に示すように、栽培装置１０は、棒体１０１を振動させることにより、棒体１０１に、複数の栽培容器４それぞれに植えられている植物に対する加振を行わせる（Ｓ１０）。より具体的には、栽培装置１０は、１本以上の棒体１０１を振動させることにより、１本以上の棒体１０１に加振を行わせる。当該加振を行わせる際には、栽培装置１０は、１本以上の棒体１０１に、複数の栽培容器４それぞれに植えられている少なくとも１つの植物に直接加振を行わせてもよいし、または、栽培容器４を加振させることにより少なくとも１つの植物４１に間接的に加振を行わせてもよい。
【００５４】
図８は、実施の形態における栽培装置１０が間欠動作を行う際の動作の一例を示すフローチャートである。
【００５５】
図８に示すように、まず、栽培装置１０は、点灯時間中か否かを判定する（Ｓ２０）。ここで、照明１０５が植物を生育するために光を照射している点灯時間中か否かについては、栽培装置１０の管理者が判定してもよい。また、点灯時間中か否かについては、栽培装置１０の内部または外部に備えられ、振動子１０３を制御する稼働装置（不図示）が判定してもよい。
【００５６】
ステップＳ２０において、点灯時間中であると判定された場合（Ｓ２０でＹｅｓ）、栽培装置１０は、１本以上の棒体１０１を間欠的に振動させることにより、１本以上の棒体１０１に、複数の栽培容器４それぞれに植えられている植物に対する加振を間欠的に行わせる（Ｓ２１）。なお、ステップＳ２０において、点灯時間中であると判定されなかった場合（Ｓ２０でＮｏ）、再度ステップＳ２０に戻る。
【００５７】
［効果等］
ミツバチを利用する場合、巣箱交換の作業及び生態維持のための作業が定期的に発生する。一方、本実施の形態の栽培装置１０等によれば、振動を利用して受粉させることができるので、栽培装置１０を設置すれば、衛生面のリスクとなるミツバチという生物を用いずに、自動制御で受粉させることができる。さらに、本実施の形態の栽培装置１０等によれば、紫外線照明など専用の照明を設置するなどの設備投資が不要になるだけでなく、人の手による作業が不要でかつ生物を用いない機械的な手段により受粉させることができる。よって、植物工場の運用面においてのメリットも大きい。
【００５８】
また、本実施の形態の栽培装置１０等によれば、１以上の棒体ごとに、多数の植物を同時に加振することができるので、設備コスト面でも有利となる。
【００５９】
さらに、本実施の形態の栽培装置１０等のように、受粉に必要な時間だけ振動を与える制御すなわち振動の間欠動作を行えば、植物へのダメージも少なく、経済面でのメリットが大きくなる。
【００６０】
以上のように、本実施の形態によれば、受粉が必要な植物の植物工場における栽培において、衛生面のリスクがより少なく、コストも抑制することができる栽培装置１０等を実現できる。
【００６１】
より具体的には、加振を行うための棒体と、前記棒体を振動させることにより、前記棒体に前記加振を行わせる振動部とを、備え、前記棒体は、複数の栽培容器のそれぞれに植えられている少なくとも１つの植物に直接加振を行う、または、前記栽培容器を加振することにより前記少なくとも１つの植物に間接的に加振を行う。
【００６２】
このように、振動が伝達された１以上の棒体１０１を用いて、栽培対象の複数の植物を間接的または直接的に振動させることができる。これにより、複数の植物の花を振動させ、花の中の花粉を飛散させることができるので、植物の花を自家受粉させることができる。つまり、人の手による作業が不要であり、かつ、衛生面のリスクとなるミツバチという生物を用いない機械的な手段により受粉させることができる。したがって、本実施の形態の栽培装置１０によれば、受粉が必要な植物の植物工場における栽培において、衛生面のリスクがより少なく、コストも抑制することができる。
【００６３】
ここで、例えば、前記振動部は、前記棒体を、前記栽培容器が立設する方向において振動させてもよい。
【００６４】
これにより、複数の植物の花を上下に振動させ、花の中の花粉をより確実に飛散させることができるので、より確実に植物の花を自家受粉させることができる。
【００６５】
また、例えば、前記棒体は、当該棒体の延在方向が、複数の前記植物のうち当該棒体の加振対象である２以上の前記植物の並び方向に沿うように、配置されてもよい。
【００６６】
これにより、１本の棒体１０１ごとに、複数の植物を同時に加振することができる。それにより、栽培装置１０を導入する際の設備コストを抑制することができる。
【００６７】
また、例えば、前記振動部は、振動子と、前記棒体の一方の端部に連結され、かつ、前記棒体と交差する方向に配される棒状の振動伝達体であって、前記振動子の振動が伝達されて振動することにより、前記棒体を振動させる振動伝達体とを備えてもよい。
【００６８】
また、例えば、前記振動伝達体と前記棒体の前記一方の端部との連結には、間隔を有する遊びがあり、前記振動伝達体は、前記棒体を、前記栽培容器が立設する方向、及び、前記立設する方向と異なる方向であって当該立設する方向と交差する方向に振動させてもよい。
【００６９】
ここで、前記振動部は、前記棒体を、前記立設する方向として、前記植物の生育方向である上下方向に振動させる。
【００７０】
これらにより、複数の植物の花を上下方向だけでなく上下方向以外にも振動させることで、花の中の花粉をより確実に飛散させることができるので、より確実に植物の花を自家受粉させることができる。
【００７１】
また、例えば、前記振動部は、さらに、前記棒体を間欠的に振動させる間欠動作を行ってもよい。
【００７２】
これにより、植物へのダメージも少なくすることができ、経済面でのメリットが大きくなる。
【００７３】
ここで、前記振動部は、前記植物を生育するための光を照射する照明が点灯されている時間である点灯時間中に、前記間欠動作を行ってもよい。
【００７４】
［他の実施態様の可能性］
以上、本開示の一態様に係る栽培装置及び栽培方法について、実施の形態に基づいて説明したが、本開示は、これらの実施の形態に限定されるものではない。本開示の趣旨を逸脱しない限り、当業者が思いつく各種変形を本実施の形態に施したもの、あるいは異なる実施の形態における構成要素を組み合わせて構築される形態も、本開示の範囲内に含まれる。
【産業上の利用可能性】
【００７５】
本開示は、栽培装置及び栽培方法に利用でき、特に、植物工場において受粉が必要な植物の栽培において振動を用いて自動受粉させる栽培装置及び栽培方法に利用できる。
【符号の説明】
【００７６】
１  栽培構成段
２  棚
３  栽培トレイ
４  栽培容器
５  固定用部材
１０  栽培装置
４１  植物
１０１  棒体
１０２  振動部
１０３  振動子
１０４  振動伝達体
１０４ａ、１０４ｂ  締結部材
１０５  照明
１０００  栽培棚
【図１】
2020141644.tif 000003
【図２】
2020141644.tif 000004
【図３】
2020141644.tif 000005
【図４】
2020141644.tif 000006
【図５Ａ】
2020141644.tif 000007
【図５Ｂ】
2020141644.tif 000008
【図６Ａ】
2020141644.tif 000009
【図６Ｂ】
2020141644.tif 000010
【図７】
2020141644.tif 000011
【図８】
2020141644.tif 000012